【手続補正書】
【提出日】平成24年2月24日(2012.2.24)
【手続補正１】
【補正対象書類名】特許請求の範囲
【補正対象項目名】全文
【補正方法】変更
【補正の内容】
【特許請求の範囲】
【請求項１】
遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、第一の条件が充足された場合よりも、第二の条件が充足された場合の方が成立しやすく、
前記第一の条件は、前記先読みの対象となった当否判定の結果に基づいて行われる変動表示の時間が前記第一の特定用データに含まれるデータを用いて決定されることになる場合に充足されるものであり、
前記第二の条件は、前記先読みの対象となった当否判定の結果に基づいて行われる変動表示の時間が前記第二の特定用データに含まれるデータを用いて決定されることになる場合に充足されるものである
ことを特徴とする遊技台。
【請求項２】
請求項１に記載の遊技台において、
前記保留手段は、前記当否判定手段による当否判定が行われる際に、前記保留数から一を減算するものである
ことを特徴とする遊技台。
【請求項３】
請求項１または２に記載の遊技台において、
前記第一の条件は、前記先読みの対象となった当否判定の結果に基づいて行われる変動表示の時間が前記第一の特定用データに含まれるデータを用いて決定されることになる場合であって、かつ他の所定の条件が充足された場合に成立し、
前記第二の条件は、前記先読みの対象となった当否判定の結果に基づいて行われる変動表示の時間が前記第二の特定用データに含まれるデータを用いて決定されることになる場合であって、かつ他の所定の条件が充足された場合に成立する
ことを特徴とする遊技台。
【請求項４】
請求項１乃至３のいずれかに記載の遊技台において、
前記先読み予告条件は、前記第一の条件および前記第二の条件の両方の条件とは別の第三の条件が充足された場合にも成立する
ことを特徴とする遊技台。
【請求項５】
請求項１乃至４のいずれかに記載の遊技台において、
前記始動口への入賞があったか否かを判定する第一の判定手段を少なくとも含む第一の制御手段と、
前記先読み予告を行うか否かを判定する第二の判定手段を少なくとも含む第二の制御手段と、を備え、
前記第一の制御手段と前記第二の制御手段は別基板に設けられており、
前記第一の制御手段から受信したコマンドに基づいて、前記第二の判定手段は前記先読み予告を行うか否かを判定する
ことを特徴とする遊技台。
【請求項６】
請求項５に記載の遊技台において、
前記コマンドは、前記当否判定に用いられる情報に基づいて少なくとも生成される
ことを特徴とする遊技台。
【請求項７】
請求項６に記載の遊技台において、
前記コマンドは、前記変動時間決定手段が前記第一の特定用データおよび前記第二の特定用データのうちのいずれの特定用データに含まれるデータを用いるかを決定するための情報に基づいて生成される場合がある
ことを特徴とする遊技台。
【手続補正２】
【補正対象書類名】明細書
【補正対象項目名】０００９
【補正方法】変更
【補正の内容】
【０００９】
上記目的を解決する本発明の遊技台は、遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、第一の条件が充足された場合よりも、第二の条件が充足された場合の方が成立しやすく、
前記第一の条件は、前記先読みの対象となった当否判定の結果に基づいて行われる変動表示の時間が前記第一の特定用データに含まれるデータを用いて決定されることになる場合に充足されるものであり、
前記第二の条件は、前記先読みの対象となった当否判定の結果に基づいて行われる変動表示の時間が前記第二の特定用データに含まれるデータを用いて決定されることになる場合に充足されるものである
ことを特徴とする。
【手続補正３】
【補正対象書類名】明細書
【補正対象項目名】０５０５
【補正方法】変更
【補正の内容】
【０５０５】
さらに、ここにいう遊技台において、上記予告報知決定手段は、上記予告報知を行うか否かを決定する際に参照する上記先読み手段が判定した抽選結果が、遊技者に付与する利益量が相対的に小さな利益量になる抽選結果である場合には、遊技者に付与する利益量が相対的に大きな利益量になる抽選結果である場合よりも、上記予告報知を行うことを決定する可能性が高いものであってもよい。
【手続補正４】
【補正対象書類名】明細書
【補正対象項目名】０５５１
【補正方法】変更
【補正の内容】
【０５５１】
また、付記８記載の遊技台において、前記抽選手段による前記抽選が行われるよりも前に、前記保留手段による前記保留数からの１減算が行われることを特徴としてもよい。
（付記９）
遊技球が所定の始動口に入賞した場合に、当否判定を実行可能な当否判定手段と、
決定された変動時間にわたって図柄を変動表示した後で、前記当否判定手段による当否判定の結果に対応した図柄を停止表示可能な図柄表示手段と、
前記当否判定手段が当否判定を実行する前に、該当否判定の結果を先読みする先読み手段と、
所定の先読み予告条件が成立した場合に、遊技者にとって有利な当否判定の結果となることを遊技者に期待させるための先読み予告を行うことが可能な先読み予告手段と、
前記始動口に遊技球が入賞した場合に、保留数に一を加算するとともに前記当否判定の実行を保留することが可能な保留手段と、
前記先読み手段によって先読みされた結果を用いずに前記当否判定手段による当否判定の結果に基づいて前記変動時間を決定する変動時間決定手段と、
前記保留数に応じた変動時間が定められた複数のデータからなる第一の特定用データが少なくとも記憶された記憶手段と、
を備えた遊技台であって、
前記保留手段は、保留数が一以上である場合に前記図柄の変動表示が一回行われる度に該保留数から一を減算することが可能なものであり、
前記記憶手段は、保留数に応じずに前記変動時間が定められたデータを少なくとも含む複数のデータからなる第二の特定用データも記憶したものであり、
前記変動時間決定手段は、前記第一の特定用データおよび前記第二の特定用データのうちの一方の特定用データに含まれるデータを少なくとも用いて前記変動時間を決定することが可能なものであり、
前記先読み予告条件は、第一の条件が充足された場合よりも、第二の条件が充足された場合の方が成立しやすく、
前記第一の条件は、前記先読みの対象となった当否判定の結果に基づいて行われる変動表示の時間が前記第一の特定用データに含まれるデータを用いて決定されることになる場合に充足されるものであり、
前記第二の条件は、前記先読みの対象となった当否判定の結果に基づいて行われる変動表示の時間が前記第二の特定用データに含まれるデータを用いて決定されることになる場合に充足されるものである
ことを特徴とする遊技台。
ここで、前記保留手段は、前記当否判定手段による当否判定が行われる際に、前記保留数から一を減算するものであってもよい。
また、前記第一の条件は、前記先読みの対象となった当否判定の結果に基づいて行われる変動表示の時間が前記第一の特定用データに含まれるデータを用いて決定されることになる場合であって、かつ他の所定の条件が充足された場合に成立し、
前記第二の条件は、前記先読みの対象となった当否判定の結果に基づいて行われる変動表示の時間が前記第二の特定用データに含まれるデータを用いて決定されることになる場合であって、かつ他の所定の条件が充足された場合に成立する態様であってもよい。
また、前記先読み予告条件は、前記第一の条件および前記第二の条件の両方の条件とは別の第三の条件が充足された場合にも成立する態様であってもよい。
また、前記始動口への入賞があったか否かを判定する第一の判定手段を少なくとも含む第一の制御手段と、
前記先読み予告を行うか否かを判定する第二の判定手段を少なくとも含む第二の制御手段と、を備え、
前記第一の制御手段と前記第二の制御手段は別基板に設けられており、
前記第一の制御手段から受信したコマンドに基づいて、前記第二の判定手段は前記先読み予告を行うか否かを判定する態様であってもよい。
さらに、前記コマンドは、前記当否判定に用いられる情報に基づいて少なくとも生成されるコマンドであってもよい。
また、前記コマンドは、前記変動時間決定手段が前記第一の特定用データおよび前記第二の特定用データのうちのいずれの特定用データに含まれるデータを用いるかを決定するための情報に基づいて生成される場合があってもよい。